(57)【要約】  摂取プランに従ったユーザによる製品の摂取のモニタリングを可能にするためのロギングシステム２００及びデータ登録方法が提供される。ロギングシステム２００はマニュアルインタラクションによって分配デバイスを操作するユーザに製品を分配するための分配デバイス２２０とロギングデバイス２４０を有する。分配デバイスはデバイス自体を識別する又はデバイスによって分配される製品を識別する識別データ（ＩＤ）を持つ。分配デバイスとロギングデバイスは身体結合通信を介して通信することができる。分配デバイスとロギングデバイスが両方とも前記マニュアルインタラクション中にロギングデバイスを担持するユーザ１１０の身体に接近しているとき、識別データが身体結合通信を介してロギングデバイスへ送信され、これはその後受信データをデータストレージに保存する。
2017503250.tif 000002
【特許請求の範囲】
【請求項１】
摂取プランに従ったユーザによる製品の摂取のモニタリングを可能にするためのロギングシステムであって、
前記ユーザによって担持される、又は前記ユーザに接近するように構成されるロギングデバイスであって、第一の身体結合通信インターフェースを有する、ロギングデバイスと、
マニュアルインタラクションによって分配デバイスを操作する前記ユーザに、前記製品を分配するための分配デバイスであって、第二の身体結合通信インターフェースを有し、前記分配デバイスの識別又は前記分配デバイスによって分配される前記製品の識別を可能にする識別データを持つ、分配デバイスと
を有し、
前記第一の身体結合通信インターフェースと前記第二の身体結合通信インターフェースが、身体送信チャネルを介した通信のために前記マニュアルインタラクション中に前記ユーザの身体に容量結合するように構成され、
前記分配デバイスと前記ユーザによって担持される前記ロギングデバイスが両方とも前記マニュアルインタラクション中に前記ユーザに接近しているとき、前記分配デバイスが前記識別データを前記身体送信チャネルを介して前記ロギングデバイスへ送信するように構成され、
前記ロギングデバイスが、データストレージと、ｉ）前記第一の身体結合通信インターフェースを介して前記識別データを受信し、ｉｉ）前記ユーザが前記摂取プランを順守するかどうかのモニタリングを可能にするために受信した識別データのログを取得するために、受信した識別データを前記データストレージに保存するように構成されるコントローラとをさらに有する、
ロギングシステム。
【請求項２】
前記ロギングデバイスの前記データストレージがさらに前記摂取プランを保存するように構成され、前記ロギングデバイスの前記コントローラがさらに、前記摂取プランに関する前記受信した識別データの評価に基づいて前記ユーザが前記摂取プランを順守するかどうかを検出するように構成される、請求項１に記載のロギングシステム。
【請求項３】
前記ロギングデバイスが、前記ユーザが前記摂取プランを順守しないことを前記コントローラが検出するときに前記ユーザに警告するための警告素子を有する、請求項１に記載のロギングシステム。
【請求項４】
一つ以上の他のデバイスが前記ロギングシステムの前記データストレージにアクセスすることを可能にするため、又は前記ロギングデバイスによって生成される信号を前記一つ以上の他のデバイスへ送信するために、ネットワークに接続するためのネットワークインターフェースをさらに有し、前記ネットワークインターフェースは前記ロギングデバイスに、又は第三の身体結合通信インターフェースを有する通信デバイスに設けられ、前記ネットワークは身体結合通信に基づかず、前記第三の身体結合通信インターフェースも、前記身体送信チャネルを介した通信のために前記ユーザの身体に容量結合するように構成される、請求項１に記載のロギングシステム。
【請求項５】
ａ）別のネットワークを介して前記ロギングデバイスと通信すること、ｂ）前記ロギングデバイスに前記摂取プランをアップロードすること、及び／又は前記ロギングデバイスの前記データストレージに保存される若しくは前記ロギングデバイスにおいて生成されるデータを受信することによって、前記ユーザが前記摂取プランを順守するかどうかを検出することを可能にするように構成されるリモートデバイスをさらに有する、請求項４に記載のロギングシステム。
【請求項６】
前記リモートデバイスがユーザインターフェースも有し、前記ユーザインターフェースが、受信データを特定の人に提示するためのディスプレイ及び／又は特定の人から前記摂取プランを受信するための入力デバイスを有する、請求項５に記載のロギングシステム。
【請求項７】
前記ロギングデバイスがアラームボタン、及び／又は前記ロギングデバイスを担持するユーザが転倒するかどうかを検出するための転倒センサも有し、前記コントローラがさらに、前記ユーザが前記アラームボタンを押すとき又は前記転倒センサが前記ユーザの転倒を検出するときにアラーム信号を一つ以上のリモートデバイスへ前記ネットワークインターフェースを介して送信するように構成される、請求項４に記載のロギングシステム。
【請求項８】
前記ロギングデバイスの前記コントローラがさらに、前記受信した識別データとともにタイムスタンプを前記データストレージに保存するように構成される、請求項１に記載のロギングシステム。
【請求項９】
前記分配デバイスが、前記製品が分配されるかどうかを検知するための分配センサを有し、
前記分配デバイスが、前記分配センサからの情報に基づいて前記製品の分配についての分配データを前記第二の身体結合通信インターフェースを介して提供するように構成され、
前記ロギングデバイスの前記コントローラがさらに、ｉｉｉ）前記第一の身体結合通信インターフェースを介して前記分配データを受信する、並びにｉｖ)受信した分配データを前記データストレージに保存するように構成される、
請求項１に記載のロギングシステム。
【請求項１０】
前記分配デバイスの前記分配センサがさらに、分配された前記製品の量を検出するように構成され、前記分配データが検出量に基づく情報を有する、請求項９に記載のロギングシステム。
【請求項１１】
前記ロギングデバイスの前記データストレージが、前記ロギングデバイスを所有若しくは担持するユーザを一意的に識別するデータであるユーザ識別データを保存し、
前記ロギングデバイスの前記コントローラが、前記第一の身体結合通信インターフェースを介して前記分配デバイスへ前記ユーザ識別データを提供するように構成され、
前記分配デバイスがさらに、ａ）前記分配デバイスを使用することを許可されるユーザを識別するアクセスデータを保存し、ｂ）前記ユーザの身体が同時に前記ロギングデバイスと前記分配デバイスに接近しているとき、前記第二の身体結合通信インターフェースを介して前記ユーザ識別データを受信し、ｃ）前記アクセスデータに照らした受信したユーザ識別データの評価が、前記ユーザが前記分配デバイスを使用することを許可されることを明らかにするときのみ、前記製品を分配するように構成される、
請求項１に記載のロギングシステム。
【請求項１２】
前記第一の身体結合通信インターフェースは、前記第一の身体結合通信インターフェースが前記ユーザの身体に接近しているとき、前記ユーザの身体をたどる身体送信チャネルを介して他のデバイスと通信するように構成され、
前記第二の身体結合通信インターフェースは、前記第一の身体結合通信インターフェースと前記第二の身体結合通信インターフェースが前記ユーザの身体に接近しているとき、前記ユーザの身体をたどる身体送信チャネルを介して前記ロギングデバイスと通信するように構成され、
請求項４を参照するときは、前記第三の身体結合通信インターフェースは、前記第一の身体結合通信インターフェースと前記第三の身体結合通信インターフェースが前記ユーザの身体に接近しているとき、前記ユーザの身体をたどる身体送信チャネルを介して前記ロギングデバイスと通信するように構成される、
請求項１又は請求項４に記載のロギングシステム。
【請求項１３】
前記分配デバイスが、食品ディスペンサー、飲料ディスペンサー又は薬剤分配デバイス、例えばピルボックス、薬箱、吸入器、ネブライザ、注射器など、冷水器、給水栓、コーヒーマシン、自動販売機、食品分配デバイスのうちの一つである、並びに／或いは、
前記ロギングデバイスが、腕時計、携帯電話、ネックレスに取り付けられるデバイス、体表面近くで前記ユーザの体へ埋め込むための埋め込みデバイスのうちの一つである、
請求項１に記載のロギングシステム。
【請求項１４】
請求項１に記載のロギングシステムでの使用のためのロギングデバイスであって、前記ユーザによって担持される、又は前記ユーザに接近するように構成され、識別データを受信するための第一の身体結合通信インターフェースと、製品の摂取のモニタリングを可能にするために受信した識別データのログを取得するために受信した識別データを保存するように構成されるデータストレージとを有する、ロギングデバイス。
【請求項１５】
請求項１に記載のロギングシステムでの使用のため、及び製品を分配するための分配デバイスであって、身体送信チャネルを介してデータを送信するための第二の身体結合通信インターフェースを有し、ロギングデバイスへの送信のための識別データを持ち、前記識別データは前記分配デバイスの識別若しくは前記分配デバイスによって分配される製品の識別を可能にし、前記分配デバイスは、前記分配デバイスと前記ユーザによって担持される前記ロギングデバイスが両方とも前記ユーザに接近しているときに、前記識別データを身体送信チャネルを介して前記ロギングデバイスへ送信するように構成される、分配デバイス。
【請求項１６】
摂取プランに従ったユーザによる製品の摂取のモニタリングを可能にするためにデータを登録する方法であって、
前記ユーザが第一の身体結合通信インターフェースを有するロギングデバイスを担持するステップと、
前記ユーザが、第二の身体結合通信インターフェースを有する、前記製品を分配するための分配デバイスをマニュアルインタラクションによって操作するステップとを有し、
前記第一の身体結合通信インターフェースと前記第二の身体結合通信インターフェースが身体送信チャネルを介した通信のために前記マニュアルインタラクション中に前記ユーザの身体に容量結合するように構成され、
前記方法が、
前記ロギングデバイスと前記分配デバイスが両方とも、前記マニュアルインタラクション中に前記ユーザに接近しているかどうかを検出するステップと、
前記検出にあたり、両デバイスに存在する前記身体結合通信インターフェースを介して前記身体送信チャネルを介して前記分配デバイスから前記ロギングデバイスへ識別データを通信するステップであって、前記識別データは前記分配デバイスによって分配される前記製品を識別する、又は前記分配デバイスを識別する、ステップと、
摂取モニタリングを可能にするために受信した識別データのログを作成するために前記ロギングデバイスのデータストレージに前記識別データを記憶するステップと
を有する、方法。
【発明の詳細な説明】
【技術分野】
【０００１】
本発明はユーザが摂取プランを順守するかどうかのモニタリングを可能にするシステムと方法に関する。
【背景技術】
【０００２】
先進国における慢性疾患のための服薬アドヒアランス（順守）は平均５０％であり、これは途上国ではもっと低い。これは多くの患者が治療勧告に従うこと及び処方薬の服薬アドヒアランスが困難であることに起因する。特にこれは高齢者にとって困難である。長期治療のための服薬アドヒアランス不良は健康アウトカム不良及び医療費増につながる。
【０００３】
公開特許出願ＵＳ２００８／０１４９６５９は、薬剤を保管するための区画を持ち、ユーザデバイスが薬箱から所定距離内にあるかどうかをＲＦ信号を介して検出する手段を有する、薬箱を開示する。ユーザデバイスは例えばユーザによって装着される腕時計であり、腕時計はユーザが薬箱からどの程度の距離に存在するかを受信信号強度に基づいて検出することができるようにＲＦ対応である。ユーザが薬箱の近くにいるとき、薬箱はユーザに摂取計画に従って既定の時点に服薬するよう指示することができる。
【０００４】
上記開示のシステムにおいて、願わくは、特定の薬が服用されなければならないときを処方するケアプランをユーザがより順守するように、ユーザは薬箱の近くにいるときに服薬を喚起される。システムは服薬の主導権を依然ユーザに残し、ユーザが実際に服薬したかどうかはわからない。医師はユーザがケアプランを順守するかどうかを知ることができない。
【０００５】
ＥＰ１７９８８７６はオペレータが人に対して実行するオペレーションを検出することができるオペレーション状態検出デバイス、例えば看護師によって患者に挿入される注射器を記載する。注射器は看護師の腕と（例えば注射器、その容器、床の上の）様々なコンタクトタグを介して電流路を形成する導電体を備える。コンタクトタグはデータ通信デバイスであり、これは看護師と接触するタグのＩＤデータを収集している、看護師によって装着される通信デバイスへ電流路を介してＩＤデータを通信する。
【０００６】
ＵＳ２００９／０１１２１７８は親デバイスによって患者の体外の流体ポートを制御するためのシステムを記載する。患者は受信器を備え、流体ディスペンサーは送信器を備える。導電経路が送信器から流体を介して患者の身体へ及び受信器へ形成される。受信器は経路を介して送信器から信号を検出する。
【発明の概要】
【発明が解決しようとする課題】
【０００７】
ユーザが特定製品を摂取しなければならないときを処方する摂取プランをユーザが順守するかどうかを正確にモニタリングすることを可能にする登録システムを提供することが本発明の目的である。
【課題を解決するための手段】
【０００８】
本発明の第一の態様は摂取プランに従ったユーザによる製品の摂取のモニタリングを可能にするためのロギングシステムを提供する。本発明の第二の態様は摂取プランに従ったユーザによる製品の摂取のモニタリングを可能にするためのデータを登録する方法を提供する。有利な実施形態が従属クレームに定義される。
【０００９】
本発明の第一の態様にかかるロギングシステムは分配デバイスとロギングデバイスを有する。ロギングシステムは摂取プランに従ったユーザによる製品の摂取のモニタリング用である。分配デバイスはマニュアルインタラクションによって分配デバイスを操作するユーザに製品を分配するように構成され、ロギングデバイスへの送信用の識別データを持つ。識別データは分配デバイスの識別若しくは分配デバイスによって分配される製品の識別を可能にする。言い換えれば、識別データは分配デバイスを識別するか、又は分配デバイスによって分配される製品を識別する。分配デバイスはユーザの身体をたどる身体送信チャネルを介して（識別）データを送信するための第二の身体結合通信インターフェースを有する。ロギングデバイスはユーザによって担持されるか若しくはユーザの身体に接近するように配置される。ロギングデバイスは第一の身体結合通信インターフェースとデータストレージを有する。第一の身体結合通信インターフェースと第二の身体結合通信インターフェースは身体送信チャネルを介した通信のために上記マニュアルインタラクション中にユーザの身体へ容量結合するように構成される。データストレージは製品の摂取のモニタリングを可能にするために受信した識別データのログを取得するために受信した識別データを保存するように構成される。分配デバイスは分配デバイスとロギングデバイス両方が同時に生物の身体に接近しているときに身体結合通信を介して、身体送信チャネルを介してロギングデバイスへ識別データを送信するように構成される。
【００１０】
上記システムは身体送信チャネルを介した通信である身体結合通信を使用して、製品（製品は例えば薬剤であり、分配デバイスはその場合例えば吸入器などである）を摂取するため又は（例えば分配デバイスがピルボックス若しくは薬箱であるとき）製品を収集するために上記マニュアルインタラクション中にユーザが分配デバイスに（ほとんど）接触したかどうかを正確に検出する。ロギングデバイスはユーザが分配デバイスに接近していた時点において、識別データを受信し、オプションとしてタイムスタンプとともにデータストレージにこの情報を保存する。ロギングデバイスのデータストレージに保存される情報は、製品がユーザによって摂取／消費されなければならないことを処方する摂取プランにユーザが従うかどうかを決定するために例えば医師若しくはモニタリングシステムへ正確な情報を提供する。製品は食品、飲料若しくは薬剤であり得る。ユーザは人若しくは動物であり得る。
【００１１】
上記ロギングシステムは、ロギングデバイスにおいていかなる登録もなされる前にユーザがその身体（の一部）を分配デバイスに非常に近づけなければならないため、非常に正確である。ロギングシステムはまた、ユーザの干渉なしに、ユーザが分配デバイスに触れるイベントが登録されるため、正確である。製品の摂取の登録がユーザの干渉を要し得る場合、ユーザは登録に影響を及ぼそうとするかもしれないし、又は製品の摂取を登録し忘れるかもしれない。上記システムの製品の摂取に関するイベントの登録方法は、ユーザが製品を摂取するときにとらなければならない行動の仕方にフィットする：製品が薬剤の形であるとき、ユーザは薬箱に触れなければならないか、又は吸入器を自分の口に運ばなければならないか、又は薬剤を注射するための注射器を操作しなければならない、など。製品が例えば食品若しくは飲料であるとき、ユーザは食品を収集するか、又は分配デバイスを使用して飲料を収集しなければならない。加えて、分配デバイスはそれ自体を識別するか又は投与される製品を識別し、従ってデータストレージに保存されるデータはどの製品が摂取されるかについても非常に正確である。識別データが分配デバイスを識別するとき、これは一つの特定分配デバイスを、又は例えば分配デバイスのタイプを一意的に識別し得る。
【００１２】
さらに、上記ロギングシステムはロギングデバイスを担持するユーザにフォーカスする。ユーザは製品摂取イベントを登録するデバイスを担持し、他のユーザ、例えば同様に薬箱に触れる別の人に関するイベントは登録されない：上記ロギングシステムは、ユーザの身体が通信チャネルを形成するので、ロギングデバイスを担持するユーザに関するイベントのみをモニタリングする。ロギングデバイスと分配デバイスはユーザの身体に接近していなければならないので、悪意者若しくは悪意デバイスがロギングシステムに侵入して摂取イベントの登録に影響を及ぼす、修正する、若しくは消去することは非常に困難である。かかる悪意者若しくは悪意デバイスもユーザに接近しなければならず、従ってこのユーザはほぼ確実に何かがおかしいことを検出することになり、ほぼ確実に悪意者及び／又はデバイスが上記システムに侵入することを防止する措置をとることになる。担持とはこの文脈において（比較的長期間）ユーザの身体に接近していることと解釈されなければならない。例えば、携帯電話は人によって装着されるズボン若しくはジャケットのポケットに担持され得る。一実施形態において、ロギングデバイスは例えばネックレス若しくは腕時計におけるデバイスなど、ユーザによって装着されるように構成されるウェアラブルデバイスである。
【００１３】
識別データは製品の名前、製品の登録番号、特定製品に一意的に割り当てられる別のコードであり得る。製品が例えば特定薬剤であるとき、識別データはピル、注射液、若しくは同じ活性化合物を持つが異なる量のこの化合物を有する噴霧される流体によって異なり得る。代替的に、若しくは付加的に、識別データは分配デバイスを識別し得る‐分配デバイスの識別は数字及び／又は文字（又は両方の組み合わせ）によってなされ得る。例えば製造業者ｙのタイプｘの冷水器、又は例えばインシュリンを注射するためのタイプｚの注射器など、特定タイプの分配デバイスが識別され得る。代替的に、ロギングシステムにおいて使用され得る各分配デバイスは固有識別番号若しくはコード若しくは名前を受信する。識別データは分配デバイスのハードウェアにおいてハードコード化され得る。識別データは分配デバイスの不揮発性メモリにも保存され得る。かかる識別データは工場において、又は例えば医師、薬剤師若しくは分配デバイスの販売者によって分配デバイスにプログラムされ得る。
【００１４】
身体結合通信インターフェースはそれらが両方とも身体に接近しているときのみ相互に通信することができることが留意されるべきである。接近とはこの文脈において"身体結合通信インターフェースがユーザの身体に容量結合することができるように相互に十分近い"と解釈されなければならない。身体結合通信において、身体結合通信インターフェースはユーザの身体に容量結合する。送信デバイスは受信デバイスによって検出され得る可変電場を生成する。一実施形態において、身体への接近とは、ロギングデバイス若しくは分配デバイスがそれぞれ、ユーザの身体の１０ｃｍ以内、又はユーザの身体の５ｃｍ以内、又は代替的にユーザの身体の２ｃｍ以内であるときである。"接近"の代わりに、"隣接"と解釈してもよく、逆もまた同様である。
【００１５】
身体結合通信の分野で、デバイスが別のデバイスもユーザの身体に接近しているかどうかを検出し得る方法は知られている。例えば、個々のデバイスは各々、それらがユーザの身体に接近しているかどうかを検出する既知の技術を有し、ユーザの身体の存在が検出されるとき、両デバイスは規定波長でビーコン信号を送信及び検出し得る。
【００１６】
オプションとして、分配デバイスは以下のうちの一つである：食品ディスペンサー、飲料ディスペンサー、又は薬剤分配デバイス、例えばピルボックス、薬箱、吸入器、ネブライザ、注射器など、冷水器、給水栓、コーヒーマシン、自動販売機、食品分配デバイス。
【００１７】
オプションとして、ロギングデバイスは以下のうちの一つである：腕時計、携帯電話、ネックレス付随デバイス、体表面に近いユーザの身体への埋め込み用の埋め込みデバイス。ネックレスに取り付けられるデバイスは、例えば看護師に警告を伝える又は隣人若しくは家族からの介助を要求するために患者によって使用され得るアラームボタンを備える小型デバイスである。ネックレスに取り付けられるデバイスは、デバイスを担持するユーザが転倒したかどうかを自動的に検出する、及びユーザを介助し得る人にネットワークを介して自動的にコンタクトするデバイスでもあり得る。ロギングデバイスが埋め込みデバイスであるとき、これは埋め込みデバイス内に存在する身体結合インターフェースがユーザの皮膚近くに存在する電場を変化させることができ、この電場の変化を検出することができるように、ユーザの体表面近くに埋め込まれなければならない埋め込みデバイスでなければならない。言い換えれば、これが埋め込みデバイスである場合、これは身体結合通信インターフェースがユーザ周辺で直接利用可能な電場に容量結合することができる場所においてユーザの体内に埋め込まれるように配置されるデバイスでなければならない。
【００１８】
オプションとして、ロギングデバイスのコントローラはさらに、摂取プランに関する受信した識別データの評価に基づいてユーザが摂取プランを順守するかどうかを検出するように構成される。従って、コントローラは保存された識別データを（オプションとしてデータストレージに保存されているタイムスタンプと一緒に）解析し、摂取プランに従っているかどうかを検出するように構成される。摂取プランはどの製品が摂取されなければならないかを定義し、どの程度の量の製品が摂取されなければならないかを定義し得る。摂取プランは１日に何回製品が摂取されなければならないか、又はどの特定時刻にどの特定製品が摂取されなければならないかも処方し得る。ロギングデバイスのコントローラはデータストレージに摂取プランを保存するように構成され得ることに留意されたい。
【００１９】
オプションとして、ロギングデバイスはユーザが摂取プランを順守しないことをコントローラが検出するときにユーザに警告するための警告素子を有する。警告素子はユーザが製品を摂取し忘れたという事実により気付くようにし、ユーザが自分の挙動をより意識すると、ユーザは摂取プランをより順守すると期待される。警告素子は視覚、聴覚若しくは触覚信号をユーザに提供し得る。警告素子はディスプレイ、発光体、若しくは音響信号を生成するための駆動回路を伴うラウドスピーカのようなものであり得る。音響信号は音楽、又は単音若しくはトーン、又は音声テキストなどであり得る。与えられる信号は振動素子の振動でもあり得る。動物との関連では、動物は食品若しくは液体ディスペンサーの方へ行くことによって警告素子によって与えられる特定信号に反応するように訓練され得る。
【００２０】
オプションの実施形態において、ロギングデバイスは、ユーザが摂取プランを順守しないことをコントローラが検出した時点から、識別データが分配デバイスから受信される後続時点まで、繰り返し警告を与えるように構成される。従って、警告は何度も与えられ、警告の提供は生物が分配デバイスを使用するときのみ停止する。それにより、より良好な摂取プランアドヒアランスが期待され得る。ロギングデバイスのコントローラは警告の繰り返しを制御し得る。より高度な実施形態において、後続時点はユーザが摂取プランに従って摂取しなかった特定製品を識別する識別データをロギングデバイスが受信する時点である。
【００２１】
オプションとして、アドヒアランスシステムは、別のデバイスがロギングデバイスのデータストレージにアクセスすることを可能にするため又は別のデバイスへ信号を送信するためにネットワーク（ユーザの身体を介する身体結合通信に基づく通信ネットワークとは異なるネットワーク、従ってネットワークは身体結合通信に基づかない）に接続するためのネットワークインターフェースをさらに有する。ネットワークインターフェースはロギングデバイスに、又は第三の身体結合通信インターフェースも有する通信デバイスに設けられる。第三の身体結合通信インターフェースも身体送信チャネルを介した通信のためにユーザの身体に容量結合するように構成される。従って、ネットワークインターフェースはユーザの身体だけよりもさらに広がる通信チャネルを提供する。それにより、ロギングデバイスに保存される又はロギングデバイス内で生成される情報が、ユーザの身体に隣接していないデバイスに通信され得、かかるデバイスはロギングデバイスにおける保存若しくは処理のために情報を通信し得る。通信デバイスがネットワークインターフェースを有するとき、通信デバイスも身体結合通信を介してロギングデバイスと通信することができなければならず、従って通信デバイスは第三の身体結合通信インターフェースを有する。
【００２２】
オプションとして、ロギングシステムは、ａ）別のネットワークを介してロギングデバイスと通信すること、並びにｂ）ロギングデバイスへ摂取プランをアップロードすること及び／又はロギングデバイスのデータストレージに保存される若しくはロギングデバイス内で生成されるデータを受信することによって、ユーザが摂取プランを順守するかどうかを検出することができるように構成されるリモートデバイスを有する。
【００２３】
オプションとして、リモートデバイスはユーザインターフェースも有し、ユーザインターフェースは特定の人へ受信データを提示するためのディスプレイ及び／又は特定の人から摂取プランを受信するための入力デバイスを有する。従って、リモートデバイスを介して、医師若しくは家族のメンバーなど、特定の人が、ロギングデバイスを担持するユーザが摂取プランをどのように順守するかをモニタリングすることができ、付加的に、特定の人が（ユーザの摂取プランアドヒアランスを制御するためにロギングデバイスによって使用され得る）新たな摂取プランをロギングデバイスにアップロードしてもよい。
【００２４】
オプションとして、ロギングデバイスはロギングデバイスを担持するユーザが転倒するかどうかを検出するための転倒センサ若しくはアラームボタンも有し、コントローラはさらに、ユーザがアラームボタンを押すとき及び／又は転倒センサがユーザの転倒を検出するときにネットワークインターフェースを介して一つ以上のリモートデバイスへアラーム信号を送信するように構成される。従って、ロギングデバイスはユーザの健康のモニタリングに関する追加機能を持つ。ユーザは例えば人であり、アラームボタンは例えば看護師若しくは医師からの介助を人が必要とするときにその人によって操作され得る。転倒センサは転倒センサを身につけているユーザが転倒するかどうかを検出することができ、コントローラはユーザを介助することができる誰かに警告するために信号を生成することができる。
【００２５】
オプションとして、ロギングデバイスのコントローラはさらに受信した識別データとともにタイムスタンプをデータストレージに保存するように構成される。識別データとともにタイムスタンプのリストを持つことは、ユーザによる製品の使用についての非常に正確な情報を提供する。タイムスタンプはロギングデバイスの内部クロックに由来する（及びどの時点で識別データがロギングデバイスによって受信されたかを示す）か、又は分配デバイスの内部クロックに由来し得る（この情報は識別データと一緒にロギングデバイスへ送信される）。タイムスタンプは時間のみ、日付のみ、又は時間と日付両方に関連し得る。
【００２６】
オプションとして、分配デバイスは製品が分配されるかどうかを検知するためのセンサを有する。分配デバイスはさらにセンサからの情報に基づいて製品の分配についての分配データを第二の身体結合通信インターフェースを介して提供するように構成される。ロギングデバイスのコントローラはさらに分配デバイスによって送信される分配データを第一の身体結合通信インターフェースを介して受信し、受信した分配データをデータストレージに保存するように構成される。一実施形態において、分配データは識別データと、オプションとしてタイムスタンプと一緒に保存される。従って、データストレージに保存されるデータは、ユーザが自分の身体を分配デバイスに接近させていた（従ってほぼ確実にユーザが製品を消費した）という事実に関するのみならず、分配デバイスが製品を分配したかどうかの事実にも関する。分配デバイスが実際に製品を分配したかどうかの情報は、ユーザが製品を消費した事実のより信頼できる表示である。ロギングデバイスのデータストレージに保存されている情報がより信頼できるほど、ユーザの摂取プランアドヒアランスがより正確にモニタリングされ得る。例えば、分配デバイスがピルボックスであるとき、ピルボックスは一部の区画が開けられるかどうかを検出し得るか、及び／又はピルボックスはピルが区画から除去されるかどうかを検出し得る。薬剤分配デバイスが例えば吸入器であるとき、センサは吸入器が使用されるかどうか、従って薬剤が分配されるかどうかを検出し得る。分配情報はユーザが摂取プランを順守するかどうかを決定するためにコントローラによっても使用され得ることが留意される。分配情報はリモートデバイスが別のネットワークを介してロギングデバイスに接続するときにリモートデバイスへも送信され得、リモートデバイスが例えば医師、内科医、他の医学的に訓練された人、家族のメンバー若しくは介護者へ分配データを提示することを可能にし得る。
【００２７】
オプションとして、分配デバイスのセンサはさらにどの位の量の製品が分配されているかを検出するように構成され、分配データは検出された量に基づく情報を有する。従って、摂取プランアドヒアランスのさらに良好なモニタリングが可能になるように、さらにより信頼できる情報が収集され、データストレージに保存される。例えば、分配デバイスがピルボックスであるとき、検知される量は区画から除去されるピルの数に関連し得るか、又は区画から除去されるピルの数と各ピル中の活性化合物の量の組み合わせにさえ関連し得る。例えば、分配デバイスが吸入器であるとき、分配された薬剤の量は分配された活性化合物の量を示し得る。
【００２８】
オプションとして、ロギングデバイスのデータストレージはロギングデバイスを所有する若しくは担持するユーザを一意的に識別するユーザ識別データを保存する。ロギングデバイスは第一の身体結合通信インターフェースを介して別のデバイスへユーザ識別データを提供するように構成される。分配デバイスはさらに、ａ）分配デバイスを使用することを許可されるユーザを識別するアクセスデータを保存し、ｂ）ユーザの身体がロギングデバイスと分配デバイスに同時に接近するときに第二の身体結合通信インターフェースを介してユーザ識別データを受信し、ｃ）アクセスデータに照らした受信したユーザ識別データの評価が、ユーザが分配デバイスを使用することを許可されていることを明らかにするときのみ製品を分配するように構成される。このオプションの実施形態は製品の不正摂取／使用に関するセキュリティを提供し、これは製品が薬剤であるとき非常に関連性があり得る。薬剤分配デバイスによって分配される薬剤を使用する必要がない他の誰かが、分配された薬剤を回収することができるとき、これは危険である可能性がある。これはロギングデバイスを所有するユーザを分配デバイスに識別することによって防止される。アクセスデータに照らした受信したユーザ識別データの評価は、ユーザ識別データとアクセスデータが比較される比較ステップを有してもよく、ユーザ識別データが、ユーザが分配デバイスを使用することを許可されるときのアクセスデータに定義により厳密に同一でないとき、追加の認証アルゴリズム若しくは機能を有してもよい。
【００２９】
オプションとして、第一の身体結合通信インターフェースは、第一の身体結合通信インターフェースがユーザの身体に接近しているときにユーザの身体をたどる身体送信チャネルを介して他のデバイスと通信するように構成される。オプションとして、第二の身体結合通信インターフェースは、第一の身体結合通信インターフェースと第二の身体結合通信インターフェースがユーザの身体に接近しているときにユーザの身体をたどる身体送信チャネルを介してロギングデバイスと通信するように構成される。オプションとして、第三の身体結合通信インターフェースは、第一の身体結合通信インターフェースと第三の身体結合通信インターフェースがユーザの身体に接近しているときにユーザの身体をたどる身体送信チャネルを介してロギングデバイスと通信するように構成される。
【００３０】
オプションとして、ロギングシステムは警告デバイスをさらに有し、これも身体結合通信インターフェースを有する。ユーザが自分の身体をロギングデバイスと警告デバイスに同時に接近させるとき、警告デバイスは身体結合通信インターフェースを介してロギングデバイスと通信して、製品の摂取に関する情報をロギングデバイスから取得する。かかる情報はデータストレージに保存される情報を有し得るか、又はロギングデバイスのコントローラによって生成されている情報であり得る（例えばユーザが摂取プランを順守するかどうか）。かかる情報は摂取プランがロギングデバイス上に保存されるときは摂取プランでもあり得る。警告デバイスは、受信情報に基づいて、ユーザが製品を摂取し忘れたと警告デバイスのコントローラが決定することができるときに、又は製品が近い将来摂取されなければならないと警告デバイスのコントローラが決定することができるときに、ユーザに製品を摂取しなければならないことを警告するように構成され得る。警告デバイスのコントローラはユーザが摂取プランを順守するかどうかを解析するための解析機能も有し得る。警告デバイスはまたどの製品が摂取されなければならないかもユーザに提案し得るが、単純な実施形態において、警告デバイスはユーザに比較的単純な聴覚若しくは視覚信号を提供するのみである。警告デバイスはその実施形態がロギングデバイスの警告素子の文脈で既に上述されている警告素子も有する。警告デバイスはネットワークインターフェースを有するデバイスでもあり得る。警告デバイスの一実施形態は、携帯電話、ラップトップ、タブレットコンピュータである。別の実施形態において、警告デバイスは上述の機能のみを実行する専用デバイスである。
【００３１】
本発明の別の態様によれば、ユーザによる製品の摂取のモニタリングを可能にするためにデータを登録する方法が提供される。方法は、ａ）摂取プランをロギングデバイスのデータストレージに保存するステップと、ｂ）ロギングデバイスと分配デバイスが両方ともユーザの身体に接近しているかどうかを検出するステップと、ｃ）両デバイスがユーザの身体に接近しているときに分配デバイスからロギングデバイスへ識別データを通信するステップであって、通信するステップは両デバイスに存在する身体結合通信インターフェースを介して実行され、識別データは分配デバイスによって分配される製品を識別するか、若しくは分配デバイスを識別し、身体結合通信インターフェースは識別データを通信するためにユーザの身体に容量結合する、ステップと、ｄ）ロギングデバイスのデータストレージに識別データを保存するステップとを有する。
【００３２】
上述の方法は本発明の第一の態様にかかるアドヒアランスシステムと同じ利益を提供し、システムの対応する実施形態と同様の効果を伴う同様の実施形態を持つ。
【００３３】
本発明のさらなる態様によれば、プロセッサシステムに上述の方法のステージを実行させるための命令を有する分散コンピュータプログラムが提供される。分散コンピュータプログラムは、本願ではロギングデバイスと分配デバイスなど、あるデバイス上に一部存在し、別のデバイス上に一部存在する。
【００３４】
本発明のさらに別の態様によれば、上述のロギングシステムにおける使用のための分配デバイスが提供される。分配デバイスは製品を分配するためのものである。分配デバイスは身体送信チャネルを介してデータを送信するための第二の身体結合通信インターフェースを有し、ロギングデバイスへの送信のための識別データを持つ。識別データは分配デバイスの識別又は分配デバイスによって分配される製品の識別を可能にする。分配デバイスは分配デバイスとユーザによって担持されるロギングデバイスが両方ともユーザの身体に接近しているときに身体送信チャネルを介してロギングデバイスへ識別データを送信するように構成される。分配デバイスは先に論じたロギングシステムの分配デバイスの実施形態と一致する実施形態を持ち得る。
【００３５】
本発明のなおさらなる態様によれば、上述のロギングシステムにおける使用のためのロギングデバイスが提供される。ロギングデバイスはユーザによって担持されるか、又はユーザの身体に接近するように構成され、ロギングデバイスは識別データを受信するための第一の身体結合通信インターフェースを有し、データストレージを有する。データストレージは製品の摂取のモニタリングを可能にするために受信した識別データのログを取得するために受信した識別データを保存するように構成される。
【００３６】
本発明のこれらの及び他の態様は以降に記載の実施形態から明らかとなり、それらを参照して解明される。
【００３７】
本発明の上述のオプション、実施例、及び／又は態様の二つ以上は有用とみなされるいかなる方法で組み合わされてもよいことが当業者によって理解される。
【００３８】
記載したシステムの変更及びバリエーションに対応する、システム、方法の変更及びバリエーションは、本記載に基づいて当業者によって実行されることができる。
【図面の簡単な説明】
【００３９】
【図１】服薬アドヒアランスシステムの一実施形態を概略的に示す。
【図２】服薬アドヒアランスシステムの別の実施形態を概略的に示す。
【図３】パーソナルデバイスと薬剤分配デバイスの複数の実施形態を概略的に示す。
【図４】第二の態様にかかるデータを登録する方法を概略的に示す。
【図５】ロギングシステムの第一の実施形態を概略的に示す。
【図６】ロギングシステムの第二の実施形態を概略的に示す。
【発明を実施するための形態】
【００４０】
異なる図中で同じ参照番号で示される項目は同じ構造的特徴と同じ機能を持つか、又は同じ信号であることが留意されるべきである。かかる項目の機能及び／又は構造が説明されている場合、詳細な説明においてその再三の説明の必要性はない。
【００４１】
図面は単に略図であり、原寸通りではない。特に明確さのため、一部の寸法は強く誇張される。
【００４２】
ロギングシステムの次の実施形態において、クレームで使用される用語の一種である一部の用語が使用されることが留意される。例えば、"服薬アドヒアランスシステム"は"ロギングシステム"の一種である。"人"は総称"ユーザ"の一種である。"薬剤"は総称"製品"の一種である。さらに、"薬剤分配デバイス"は総称"分配デバイス"の一種である。"パーソナルデバイス"又は"ウェアラブルデバイス"は"ロギングデバイス"の具体的実施形態である。
【００４３】
服薬アドヒアランスシステム１００の第一の実施形態が図１に示される。服薬アドヒアランスシステム１００はパーソナルデバイス１２０と薬剤分配デバイス１４０を有する。この服薬アドヒアランスシステム１００におけるオプションのデバイスは携帯電話１６０とリモートデバイス１７０である。
【００４４】
パーソナルデバイス１２０は例えばパーソナルデバイス１２０を所有する人１１０の首のまわりにネックレスとともに装着されることができる小型デバイスである。パーソナルデバイス１２０は首のまわりに装着されるので、パーソナルデバイス１２０は人１１０の身体に隣接、又は言い換えれば、接近している。パーソナルデバイス１２０は少なくとも第一の身体結合通信インターフェース（不図示）、データストレージ（不図示）及び（オプションとして）コントローラ（不図示）を有する。
【００４５】
パーソナルデバイス１２０の第一の身体結合通信インターフェースは人１１０の身体を介して人１１０の身体に接近している他のデバイスと通信するように構成される。かかる通信は"身体結合通信"とよばれる。一般に、身体結合通信インターフェースは人１１０の身体と容量結合される導電プレートを有する。身体結合通信インターフェースが信号を送信するために使用されるとき、人の身体周辺に可変電場を生成するために導電プレートと容量結合が使用される。身体結合通信インターフェースが信号を受信しているとき、これは導電プレートと受信回路で、人の身体周辺の電場がどのように変化するかを検知し、それにより人の身体に接近している別のデバイスによって送信されている信号を受信することができる。それにより人１１０の身体は身体送信チャネル１１２を形成する。身体に接近している他のデバイスも、同一若しくは同様の機能と特徴を持つかかる身体結合通信インターフェースを持ち得る。人１１０の身体に接近している他のデバイスのみが身体送信チャネルを介してデータを送信若しくは受信することができる。身体結合通信についてのさらなる情報は例えば米国特許ＵＳ６２１１７９９若しくは米国特許ＵＳ５９１４７０１など、他の文献に見られ得る。"接近"とは身体結合通信の文脈において、身体結合通信インターフェースが人１１０の身体に容量結合することができ、信号が身体を介して送信され、身体から受信され得ることを意味することが留意される。一実施形態において、"接近している"とは特定デバイスと人１１０の身体との距離が８センチメートル未満、又は３センチメートル未満、又はさらに１センチメートル未満であることを意味する。
【００４６】
パーソナルデバイス１２０のデータストレージはコントローラによって提供されるデータを保存するように構成される。パーソナルデバイス１２０のコントローラは、薬剤分配デバイス１４０とパーソナルデバイス１２０の両方が同時に人１１０の身体に隣接するときに、薬剤分配デバイス１４０によって送信される識別データを第一の身体結合通信インターフェースを介して受信するように構成される。コントローラはさらに受信した識別データをデータストレージに保存するように構成される。
【００４７】
薬剤分配デバイス１４０はピル、液剤、空気中に噴霧されなければならない薬剤などといった薬剤を投薬するために適切なデバイスである。図１の実施例では、薬剤分配デバイス１４０は人１１０のための一つ以上の特定のピルを含み得る異なる区画を有するピルボックスである。異なる区画は人１１０が一つ以上のピルを服用しなければならない特定時点のために一つ以上のピルを保存する。薬剤分配デバイス１４０は薬剤分配デバイス１４０を識別するか又は薬剤分配デバイス１４０によって分配されている薬剤を識別する識別データを割り当てられる。識別データは、例えば、薬剤分配デバイス１４０のハードウェアにおいてハードコード化されるか、又は不揮発性データストレージ素子に保存される。薬剤分配デバイス１４０は第二の身体結合通信インターフェース（不図示）も有する。薬剤分配デバイス１４０は少なくとも、パーソナルデバイス１２０と薬剤分配デバイス１４０の両方が同時点に人１１０の身体に接近しているときに、第二の身体結合通信インターフェースを介して、従って人１１０の身体を介して、パーソナルデバイス１２０へ識別データを送信するように構成される。
【００４８】
上記服薬アドヒアランスシステム１００は人１１０が薬剤分配デバイス１４０に触れた（若しくは非常に近づいた）ときにパーソナルデバイスのデータストレージに正確に登録する手段を提供する。人１１０が薬剤分配デバイス１４０に触れたというイベントは人がほぼ確実に服薬したという明確な表示である。従って、これらのイベントがパーソナルデバイスのデータストレージに登録されるとき、人１１０、若しくは別の人、若しくはアルゴリズムが、人１１０が服薬プランを順守するかどうかをモニタリングすることを可能にする正確なログブックが作成される。
【００４９】
オプションとして、服薬アドヒアランスシステム１００は携帯電話１６０（若しくは人１１０の身体近くに装着され得る任意の他のデバイス）も有し、これはパーソナルデバイスとの通信のための第三の身体結合通信インターフェース（不図示）を有し、別のネットワーク１６６へ接続するための追加ネットワークインターフェース（不図示）を有する。別のネットワーク１６６は信号を送信するためにも使用され得、これはパーソナルデバイス１２０において生成され、例えばリモートデバイス１７０へ送信され得るか、又はそれを介して例えばリモートデバイス１７０がパーソナルデバイス１２０にコンタクトすること（及びそれによりパーソナルデバイスのデータストレージにアクセスすること）を可能にし得る。携帯電話は例えば、ワイドエリア、若しくはローカルエリア、ワイヤレスネットワークの無線信号１６２を送受信することができる追加ネットワークインターフェースを有する。図１では、別のネットワーク１６６が例えばワイドエリアワイヤレスネットワークであることがアンテナ１６４によって概略的に示されている。携帯電話１６０の代わりに、パーソナルデバイス１２０自体が、例えばリモートデバイス１７０がパーソナルデバイスのデータストレージにアクセスすることを可能にする追加ネットワークインターフェースを有してもよいことが留意される。別の実施形態において、携帯電話１６０は第三の身体結合通信インターフェースと追加ネットワークインターフェースを有する腕時計である。身体結合通信ネットワークは人１１０の身体に接近している複数のデバイス間にも共存し得るので、"別のネットワーク１６６"において"別の"という語が使用されることが留意される。別のネットワーク１６６は、例えば、ＧＰＲＳ、ＥＤＧＥ、ＵＭＴＳ、ＨＳＤＰＡ、若しくはＬＴＡベースのワイドエリアネットワークであるか、又は家、オフィス、若しくは病院のＷＩＦＩ（登録商標）ネットワークでもあり得る。
【００５０】
オプションとして、服薬アドヒアランスシステム１００は別のネットワーク１６６を介してパーソナルデバイス１２０のデータストレージにアクセスし得る、又は別のネットワーク１６６を介してパーソナルデバイス１２０からデータ若しくは信号を受信し得る、リモートデバイス１７０を有する。リモートデバイス１７０は、薬剤分配デバイスの識別データ若しくはデータストレージに保存される他のデータなど、パーソナルデバイス１２０のデータストレージに保存されているデータが提示されるディスプレイ１７２を有し得る。後続の実施形態において、パーソナルデバイス１２０のデータストレージに保存され得る可能なデータについてのさらなる情報が提供される。リモートデバイス１７０は、例えばマウス及び／又はキーボードなどの入力デバイス１７４も有し、これはその後パーソナルデバイス１２０のデータストレージへアップロードされ得る服薬プランを入力するためにユーザによって使用され得る。リモートデバイス１７０は別のネットワーク１６６に直接、又は間接的に結合されるネットワークインターフェースも有する。
【００５１】
図２は同様にパーソナルデバイス２２０と薬剤分配デバイス２４０を有する服薬アドヒアランスシステム２００をより詳細に示す。図２の中央に人１１０が描かれる。人１１０はパーソナルデバイス２２０を担持し、人１１０は自分の身体を薬剤分配デバイス２４０に隣接若しくは接近させ得る。
【００５２】
薬剤分配デバイス２４０は少なくとも薬剤を分配する手段（不図示）を有し、図１の文脈で論じられている身体結合通信インターフェースの特徴を持つ第二の身体結合通信インターフェース２４４を有する。薬剤分配デバイス２４０は例えば薬剤分配デバイス２４０のメモリに保存される特定の識別データＩＤを割り当てられる。薬剤分配デバイス２４０は人の身体が接近しているときを検出するように構成され得、その後第二の身体結合通信インターフェース２４４を介して識別データＩＤを、同様に人１１０の身体に接近している他のデバイスへ送信し得る‐かかる他のデバイスはパーソナルデバイス２２０であり得る。別の実施形態において、薬剤分配デバイス２４０がデバイス２４０のすぐ近くに人の身体の存在を検出するとき、第二の身体結合通信インターフェース２４４はパーソナルデバイス２２０を発見し、パーソナルデバイス２２０と薬剤分配デバイス２４０の間にネットワーク接続若しくはセキュア通信接続をセットアップする手順も開始し得、その後、識別データＩＤがパーソナルデバイス２２０へ送信される。
【００５３】
パーソナルデバイス２２０は、図１の文脈で論じた通り、第一の身体結合通信インターフェース２２４、コントローラ２２２、及びデータストレージ２２６を有する。第一の身体結合通信インターフェース２２４、コントローラ２２２、及びデータストレージ２２６は図１の文脈で論じた機能と特徴を少なくとも持つ。コントローラ２２２は第一の身体結合通信インターフェース２２４から薬剤分配デバイス２４０によって送信されている識別データを受信し、受信した識別データをデータストレージ２２６に保存する。データストレージ２２６は例えば連続的に保存される識別データのテーブル２２８を有し得る。オプションとして、コントローラ２２２は受信した識別データと一緒にタイムスタンプも保存するように構成される。タイムスタンプはパーソナルデバイスの若しくは薬剤分配デバイスの内部クロック（不図示）に由来し得る。タイムスタンプはパーソナルデバイス２２０が識別データを受信したとき、又はタイムスタンプが薬剤分配デバイス２４０から生じるときを示し、この時点で人１１０は薬剤分配デバイス２４０に接近していた。コントローラ２２２が識別データと一緒にタイムスタンプも保存するとき、テーブル２２８は例えばタイムスタンプｔ１、ｔ２と識別データｉｄ１、ｉｄ２のペアを有する。
【００５４】
オプションとして、データストレージ２２６は適切なデータフォーマットで服薬プランＭＩＰも保存する。服薬プランはどの薬剤が服用されなければならないかを処方し、オプションとしてどの位の薬剤が服用されなければならないか、及び／又はどの時点にどの位の薬剤が服用されなければならないかを処方する。コントローラ２２２は保存された識別データ（例えばテーブル２２８に保存される）を保存された服薬プラン２３１、ＭＩＰに関して解析し、ユーザが服薬プランＭＩＰを順守するかどうかを検出するようにも構成され得る。パーソナルデバイスはオプションとして警告素子２３２を有し、これは、人１１０が服薬プランＭＩＰを順守しないことをコントローラ２２２が検出するとき、人に信号を与える。信号は視覚信号、例えば光を用いるもの、又は例えばディスプレイ上に提示されるテキストであり得る。信号はビープ、何らかの音楽、若しくは音声テキストなどの音響信号であり得る。信号は振動素子によっても与えられ得る。従って、警告素子２３２はディスプレイ、発光体、ラウドスピーカ、若しくは振動素子などを有し得る。一実施形態において、パーソナルデバイス２２０は、人１１０が服薬プランを順守しないとコントローラ２２２が検出した時点から、識別データが薬剤分配デバイス２４０から受信される後続時点まで、繰り返し警告を与えるように構成される。従って、警告は何度も与えられ、警告の提供は人１１０が薬剤分配デバイス２４０を使用するときのみ停止する。それにより、服薬プラン２３１、ＭＩＰのより良好なアドヒアランスが期待され得る。パーソナルデバイス２２０のコントローラ２２２は繰り返される時点において警告素子２３２へ制御信号を与えることによって繰り返し警告の提供を制御し得る。より高度な実施形態において、後続時点は、ユーザが服薬プランに従って服用しなかった特定の薬剤を識別する識別データをパーソナルデバイス２２０が受信する時点である。
【００５５】
上述の通り、パーソナルデバイス２２０はオプションとして、図１の別のネットワーク１６６など、別のネットワーク（身体送信チャネルを介した信号の送信に基づかない）に接続することができるネットワークインターフェース２３４を有し得る。コントローラ２２２はデータストレージ２２６におけるデータへアクセスする他のデバイス（図１のリモートデバイス１７０など）からの要求をネットワークインターフェース２３４を介して受信し、コントローラ２２２はデータストレージ２２６へのアクセスを提供し得る。コントローラ２２２はネットワークインターフェース２３４を介して服薬プランＭＩＰのアップデートも受信し、これらのアップデートをデータストレージ２２６に保存し得る。前述の通り、ネットワークインターフェース２３４は同様に人１１０の身体を介してパーソナルデバイス２２０と通信することができる別のデバイスにも設けられ得る。
【００５６】
オプションとして、パーソナルデバイス２２０は、人１１０が介助を要する若しくは誰かに警告したい時点において人１１０によって操作され得るアラームボタン２３６を有する。ユーザがアラームボタン２３６を押すとき、コントローラ２２２はアラーム信号を生成し、このアラーム信号を適切な通信チャネルを介して他のデバイス及び／又は他の人へ送信する。かかる適切な通信チャネルは、アラーム信号が例えば図１のリモートデバイス１７０へ送信されるようにネットワークインターフェース２３４によって提供され得る。オプションとして、パーソナルデバイス２２０はパーソナルデバイス２２０を担持する人１１０が転倒したかどうかを検出する転倒センサ２３８を有する。人１１０が転倒した場合、コントローラ２２２は転倒アラーム信号を生成し、この転倒アラーム信号を適切な通信チャネルを介して他のデバイス及び／又は他の人へ送信する。
【００５７】
オプションとして、パーソナルデバイス２２０のデータストレージ２２６は人の識別データ２３０、Ｐ＿ＩＤも保存する。このデータはパーソナルデバイス２２０を所有する及び／又は担持する人１１０を一意的に識別し得る。パーソナルデバイス２２０は、薬剤分配デバイス２４０とパーソナルデバイス２２０の両方が人１１０の身体に接近しているときに人の識別データＰ＿ＩＤ若しくはこのデータから導出されるデータを薬剤分配デバイス２４０へ通信するように構成され得る。薬剤分配デバイス２４０は第二のデータストレージ２４６において、どの人若しくはどの人々が薬剤分配デバイス２４０によって分配される薬剤の使用若しくはアクセスを許可されるかを定義するアクセスデータ２４８、ＡＤを保存し得る。薬剤分配デバイス２４０は受信した人の識別データＰ＿ＩＤ（若しくはこのデータから得られるデータ）をアクセスデータ２４８、ＡＤに関して評価して、人１１０が薬剤にアクセスすることを許可されるかどうかを判断するように構成され得る。このオプションの実施形態において、薬剤分配デバイス２４０は、人１１０が薬剤の使用若しくはアクセスを許可されることを評価が明らかにするときのみ薬剤を投薬するようにも構成される。
【００５８】
オプションとして、薬剤分配デバイス２４０は薬剤分配デバイス２４０が薬剤を分配したかどうかを検出する分配センサ２４２を有する。例えば、薬剤分配デバイス２４０がピルボックスであるとき、分配センサ２４２は人１１０が区画を開けたかどうか、及び／又は人１１０が区画の一つからピルをとったかどうかを検出するように構成され得る。例えば、薬剤分配デバイス２４０が人１１０のマニュアルインタラクションによって操作されなければならない吸入器であるとき、分配センサ２４２はユーザが吸入器を適切に操作したかどうかを検出し得る。分配センサ２４２の検出に基づき、薬剤分配デバイス２４０は分配データを生成し、これは識別データと一緒に、その後全受信情報をオプションとしてタイムスタンプとともにデータストレージに保存するパーソナルデバイス２２０へ送信される。分配センサ２４２は分配されている薬剤の量を検出するようにも構成され得、この検出量も分配データに含まれ得る。
【００５９】
パーソナルデバイス２２０のデータストレージ２２６及び／又は薬剤分配デバイス２４０の第二のデータストレージ２４６はデータを保存するのに適したいかなる形式のハードウェアであってもよいことが留意される。従って、パワーが保証されるとき、これは揮発性メモリであり得る。或いはこれは不揮発性メモリであり得るか、又はこれは小型ハードディスクであり得る。
【００６０】
上記では論じられないが、薬剤分配デバイス２４０は薬剤分配デバイス２４０の全ての異なる素子間の全通信を制御するため、及び／又は特定アルゴリズム（例えば保存したアクセスデータＡＤに関連した受信した人の識別データＰ＿ＩＤの評価など）を作動させるための第二のコントローラも有し得る。パーソナルデバイス２２０のコントローラ２２２及び／又は薬剤分配デバイス２４０の第二のコントローラは各コントローラ２２２の上述の機能及びタスクを実行するように開発される専用ハードウェアを有し得る。代替的に、パーソナルデバイス２２０のコントローラ２２２及び／又は薬剤分配デバイス２４０の第二のコントローラは、各コントローラ２２２の上述の機能及びタスクを実行する命令を有する特定コンピュータプログラムを備える汎用プロセッサシステムを有し得る。
【００６１】
オプションとして、服薬アドヒアランスシステム２００は同様に身体結合通信インターフェースを有する警告デバイス（不図示）をさらに有する。ユーザが自分の身体を同時にパーソナルデバイスと警告デバイスに近づけるとき、警告デバイスは服薬に関する情報をパーソナルデバイスから取得するためにパーソナルデバイスと身体結合通信インターフェースを介して通信する。かかる情報は例えばテーブル２２８において、データストレージ２２６に保存される情報を有し得るか、又はパーソナルデバイス２２０のコントローラ２２２によって生成されている情報であり得る（例えば、人１１０が服薬プラン２３１、ＭＩＰを順守するかどうか）。かかる情報は服薬プラン２３１、ＭＩＰがパーソナルデバイス２２０上に保存されるときは服薬プラン２３１、ＭＩＰでもあり得る。警告デバイスは、受信情報に基づいて、人が自分の薬剤を服用し忘れたことを警告デバイスのコントローラが決定することができるとき、又は、薬剤が近い将来服用されなければならないことを警告デバイスのコントローラが決定することができるときに、人１１０に自分の薬剤を服用しなければならないことを警告するように構成され得る。警告デバイスのコントローラは人が服薬プランを順守するかどうかを解析するための解析機能も有し得る（上述のパーソナルデバイス２２０のコントローラ２２２の実施形態と一致）。警告デバイスはどの薬剤が服用されなければならないかも人１１０に提案し得るが、単純な実施形態において、警告デバイスは比較的単純な聴覚若しくは視覚信号を人に提供するのみである。警告デバイスは、その実施形態がパーソナルデバイス２２０の警告素子２３２の文脈で既に上述されている警告素子も有する。警告デバイスはネットワークインターフェースを有するデバイスでもあり得る。警告デバイスの一実施形態は携帯電話（例えば図１の携帯電話１６０）、ラップトップ、タブレットコンピュータである。別の実施形態において、警告デバイスは上述の機能のみを実行する専用デバイスである。図３はパーソナルデバイスの複数の実施形態３２１、３２３、３２５及び薬剤分配デバイスの複数の実施形態３４１、３４３、３４５を概略的に提示する。パーソナルデバイスは腕時計３２５、携帯電話３２３（若しくは例えば携帯音楽プレーヤ）、若しくは例えばアラームデバイス３２１（例えばアラームボタン及び／又は転倒センサを有する、アラームデバイス３２１は患者によって首まわりに常に身に着けられなければならない）を伴うネックネスにおいて具体化され得る。薬剤分配デバイスの実施例は：吸入器３４１、ネブライザ（別々に示される）、注射器３４５、例えば注射針など、若しくはピル／薬箱３４３である。薬剤が服用されるかどうかを検出するために、吸入器３４１はユーザが吸入器３４１を通じて空気を吸入したかどうかを検出し、オプションとしてどの位の空気が吸入されるか、及びどの位の薬剤が吸入空気中で供給されるかを検出し得る。注射針３４５は流体が針を通って流れるかどうか、及びオプションとして針を通って流れた量を検出するセンサを有し得る。注射針３４５は針が人の皮膚（又はパーソナルデバイスを担持する人の皮膚）に挿入されたかどうかを検知するセンサも有し得る。薬剤分配デバイスはピル若しくは薬箱３４３でもあり得る。ピル若しくは薬箱３４３は一般に複数の区画を有し、その中に特定の日のためのピル、又は１日の特定時点のためのピルが設けられる。ピル若しくは薬箱３４３は、区画が開けられるかどうか、どの特定の区画が開かれるかを検出し、オプションとして特定の区画から一つ以上のピルが取り出されるかどうかを検出し得る。ピル若しくは薬箱３４３はコントローラ及び／又はデータストレージをさらに有し得る。かかるデータストレージにおいて、どのピルがどの区画に存在するかについての情報が保存され得、従って開かれている特定の区画に依存して、コントローラは開かれている区画に存在していた薬剤を識別する識別データを生成し得る。
【００６２】
図５はロギングシステム５００の第一の実施形態を概略的に提示する。ロギングシステム５００は、特に、人１１０がウォーターボトル５４２を伴う独立冷水器５４０から水をくむ時点に関するイベントのロギングのために有用である。特定の人１１０は、例えば腎臓に問題があるので、たくさんの水を飲まなければならないかもしれない。ロギングシステム５００は水摂取イベントのモニタリングを、及び場合により人１１０に供給された水の量のロギングを可能にする。これは人１１０、及び他の人が、十分な水が摂取されたかどうかをチェックすることを可能にする。冷水器５４０は、例えば給水栓５４４の近くに、人が自分のコップ５０２に水を注ぐときに人１１０の身体と容量結合するための導電プレートを持つ、身体結合通信インターフェースを有する。冷水器５４０は冷水器５４０が給水するという事実を識別する、又は冷水器５４０が冷水器であるという事実を識別する、又は特定冷水器５４０を一意的に識別するＩＤも持つ。人１１０はロギングデバイス５２０を身に着け、これは人１１０によってネックレスで身に着けられ得る。ロギングデバイス５２０は人１１０の身体をたどる身体送信チャネル１１２を介して識別データを受信するように構成される身体結合通信インターフェースを有する。ロギングデバイス５２０は受信した識別データを保存するように構成されるデータストレージをさらに有する。受信した識別データの保存は、（冷水器５４０から取得される限り）人１１０による水の摂取のモニタリングを可能にするためにログが使用されることができるように、受信した識別データのログの作成をもたらす。要約すると、ロギングシステム５００は前述のロギングシステムと同様であるが、薬剤が分配されるのではなく飲料が分配される点で異なる。
【００６３】
図６は別のロギングシステム６００の第二の実施形態を概略的に提示する。別のロギングシステム６００は、例えば熊の動物世話係が、熊６１０が給餌ユニット６４０において供給される十分な餌を食べるかどうかを、さもなければ動物世話係が（個々の）熊６１０に追加の餌を与えなければならないので、モニタリングしなければならない動物園において使用され得る。別のロギングシステム６００は例えば熊６１０によってその脚まわりに装着されるロギングデバイス６２０を有する。ロギングデバイス６２０は熊６１０の脚まわりにストラップで結合され得る。別の実施形態において、ロギングデバイス６２０は熊６１０の首まわりにストラップで備えられる。ロギングデバイス６２０は身体結合通信インターフェースとデータストレージを有する。身体結合通信インターフェースは熊６１０の身体をたどる身体送信チャネルを介して識別データを受信するように構成され、ロギングデバイス６２０は、熊が給餌ユニット６４０へ行っていくらか餌を食べたというイベントのログが作成されるように、この受信した識別データをロギングデバイス６２０のデータストレージに保存するように構成される。イベントは日付とタイムスタンプ、及び給餌ユニットから受信される可能な他のデータ、熊６１０によって消費される餌の量などを伴い得る。給餌ユニット６４０はそのフロントパネルにおいて穴６４２を有し、それを通して熊６１０は餌にアクセスしなければならない。穴６４２の近くに、給餌ユニット６４０において、導電プレートが設けられ、これは熊がその頭を穴６４２に突っ込むことによって熊が給餌ユニット６４０内部の空間にアクセスしようとするとき、熊６１０の体に容量結合される。導電プレートは熊６１０によって装着されるロギングデバイス６２０へ識別データを送信するように構成される身体結合通信インターフェースに結合され得る。識別データは給餌ユニット６４０によって供給される餌を識別するか、及び／又は給餌ユニット６４０を一意的に識別する。給餌ユニット６４０は、例えば、熊６１０が餌を得ようとするときを検出し得、その時点において給餌ユニット６４０の身体結合通信インターフェースが導電プレートを介して給餌ユニット６４０の識別データを通信し始める。ロギングデバイス６２０は例えば定期的に、身体送信チャネルを介して何らかのデータを受信するかどうかをチェックし、この送信チャネルを介して識別データを受信することを検出するとき、このデータが受信されてデータストレージに保存される。給餌ユニットは熊６１０に飲み物も提供し得るか、又は餌と一緒に、特定時点において何らかの薬剤を提供し得る。識別データは熊６１０に与えられる液体のタイプ、又は餌と一緒に与えられる薬剤のタイプも識別し得る。この実施形態は、ロギングシステムが薬剤を分配する及び／又は飲料を分配する分配デバイスのみに限られず、システムが動物と関連して使用されることもできることを示すことに留意されたい。図４は摂取プランに従ったユーザによる製品の摂取のモニタリングを可能にするためのデータを登録する方法４００を提示する。方法は：ａ）ロギングデバイスと分配デバイスが両方ともユーザの身体に接近しているかどうかを検出するステップ４０２、ｂ）両デバイスがユーザの身体に接近しているときに分配デバイスからロギングデバイスへ識別データを通信するステップ４０４であって、通信するステップは両デバイスに存在する身体結合通信インターフェースを介して実行され、識別データは分配デバイスによって分配される製品を識別するか若しくは分配デバイスを識別する、ステップ、ｃ）識別データをロギングデバイスのデータストレージに保存するステップ４０６を有する。上記方法は図１の服薬アドヒアランスシステム１００、図２の服薬アドヒアランスシステム２００、図２のロギングシステム２２０及び図５のロギングシステム５００において実行され得る。方法４００はこれらの服薬アドヒアランスシステム１００、２００及びロギングシステム５００、６００と同じ利益を提供し、システム１００、２００の対応する実施形態と同様の効果を持つ同様の実施形態を持ち得る。
【００６４】
要約すると、本願は摂取プランに従ったユーザによる製品の摂取のモニタリングを可能にするためのロギングシステム及びデータ登録の方法を提供する。ロギングシステムは分配デバイスとロギングデバイスを有する。分配デバイスはデバイス自体を識別する、又はデバイスによって分配される製品を識別する識別データを持つ。分配デバイスは身体結合通信を介して通信することができる。ロギングデバイスはデータストレージを有し、また身体結合通信を介して通信することもできる。分配デバイスとロギングデバイスが両方ともロギングデバイスを担持するユーザの身体に接近しているとき、識別データがロギングデバイスへ身体結合通信を介して送信され、これはその後受信データをデータストレージに保存する。
【００６５】
上述の実施形態は本発明を限定するのではなく例示し、当業者は添付のクレームの範囲から逸脱することなく多くの代替実施形態を設計することができることが留意されるべきである。
【００６６】
クレーム中、括弧の間に置かれる任意の参照符号はクレームを限定するものと解釈されてはならない。"有する"という動詞とその活用の使用はクレームに列挙された以外の要素若しくはステップの存在を除外しない。ある要素に先行する冠詞"ａ"若しくは"ａｎ"はかかる要素の複数の存在を除外しない。本発明は複数の個別要素を有するハードウェアを用いて実施されてもよく、一部の態様は適切にプログラムされるコンピュータ若しくはプロセッサを用いて実施され得る。複数の手段を列挙する装置クレームにおいて、これら手段のいくつかはハードウェアの一つの同じ項目によって具体化され得る。特定手段が相互に異なる従属クレームに列挙されるという単なる事実は、これら手段の組み合わせが有利に使用されることができないことを示さない。
【図１】
2017503250.tif 000003
【図２】
2017503250.tif 000004
【図３】
2017503250.tif 000005
【図４】
2017503250.tif 000006
【図５】
2017503250.tif 000007
【図６】
2017503250.tif 000008
【国際調査報告】
2017503250.tif 000009
2017503250.tif 000010
2017503250.tif 000011